(57)【要約】【課題】シーン検索機能の使い勝手を良くした映像記録再生装置を提供すること。【解決手段】シーンマーク管理部２１ａにより、シーンマークを複数のグループにグループ化して管理するようにしている。すなわち操作部３を介してシーンマークのグループ化を指示されると、シーンマーク管理部２１ａは、シーンマークの位置を管理するためのシーンマークデータを、グループを区別するための識別子である第１インデックスと、シーンマークの位置を特定するための識別子である第２インデックスとに分けて構成する。【選択図】      図２
2010074617.tif 000002
【特許請求の範囲】
【請求項１】
映像データに含まれる画像フレームを個別に指定するためのシーンマークを、前記映像データと組み合わせて記録可能な映像記録再生装置において、
前記シーンマークを構成するディジタルデータを管理するシーンマーク管理手段と、
このシーンマーク管理手段により管理されるシーンマークを指定するための指定手段と、
前記映像データを、前記指定手段において指定されたシーンマークに対応する画像フレームから再生する再生制御手段とを具備し、
前記シーンマーク管理手段は、
前記ディジタルデータを、複数のシーンマークをグループ化するための識別子として使用される第１インデックスと、前記グループ内でのシーンマークを区別するための識別子として使用される第２インデックスとの組み合わせで構成し、
前記指定手段は、前記第１インデックスと前記第２インデックスとを個別に指定するためのユーザインタフェースを備えることを特徴とする映像記録再生装置。
【請求項２】
前記ユーザインタフェースは、前記第１インデックスを固定した状態で前記第２インデックスを個別に指定可能であり、
前記再生制御手段は、前記第１インデックスを固定した状態で前記第２インデックスを指定されると、同じグループに属するシーンマーク間でジャンプ再生を行うことを特徴とする請求項１に記載の映像記録再生装置。
【請求項３】
前記ユーザインタフェースは、削除すべきグループを指定するための削除指示手段を備え、
前記シーンマーク管理手段は、前記削除指示手段を介して指定されたグループに対応する第１インデックスを持つシーンマークを前記映像データから削除することを特徴とする請求項１に記載の映像記録再生装置。
【請求項４】
前記ユーザインタフェースは、結合すべきグループを指定するための結合指示手段を備え、
前記シーンマーク管理手段は、前記結合指示手段を介して指定されたグループに対応するシーンマークの前記第１インデックスを、当該グループ間で同じ識別子にすることを特徴とする請求項１に記載の映像記録再生装置。
【請求項５】
前記第１インデックスに優先度を定義し、
前記再生制御手段は、前記第１インデックスの優先度の順に頭出し再生を行うことを特徴とする請求項１に記載の映像記録再生装置。
【請求項６】
前記ユーザインタフェースを介して前記優先度を前記第１インデックス間で変更可能なことを特徴とする請求項５に記載の映像記録再生装置。
【請求項７】
前記シーンマーク管理手段は、前記第１インデックスを階層的に組み合わせて前記ディジタルデータを構成し、
前記ユーザインタフェースは、前記第１インデックスの階層関係を指定可能であることを特徴とする請求項１に記載の映像記録再生装置。
【請求項８】
前記シーンマーク管理手段は、前記ディジタルデータをＸＭＬ（eXtended Markup Language）形式で管理することを特徴とする請求項１に記載の映像記録再生装置。
【発明の詳細な説明】
【技術分野】
【０００１】
この発明は、映像情報の所望のシーンにインデックス情報としてのシーンマークを記録することの可能な映像記録再生装置に関する。
【背景技術】
【０００２】
放送局などで使用される業務用の映像記録再生装置は、旧来ではテープに記録する方式が主流であった。しかしながら近年の各種メディアのディジタル化に伴い、フラッシュメモリなどの半導体記録媒体がテープ媒体に取って代わるようになってきている。  
映像を収録した後の編集作業などで、複数個所のシーンを検索するために、各シーンのタイムコードを紙に書き留め、後に所望のタイムコードを検索して目的のシーンを再生する作業がある。この作業を自動化するために、記録された映像素材内のシーンに映像インデックス情報（以下シーンマークと称する）を付けておき、装置が自動的にシーンマークを探し、所望のシーンを再生する機能が備わっている（例えば特許文献１を参照）。
【０００３】
しかしながらシーンマークは複数設定できるものの、単一種類のシーンマークしか設定できないので使い方が限定されてしまう。例えば既にシーンマーク設定済みの映像素材に別の目的で新たにシーンマークを追加すると、次回の検索時に無用なシーンマークも検索されてしまい、使い勝手が悪いという問題点があった。
【特許文献１】特開２００１−２４３２３２号公報
【発明の開示】
【発明が解決しようとする課題】
【０００４】
以上述べたように、既存の映像記録装置では単一種類のシーンマークしか設定できないことからシーン検索機能の使い勝手が良くないという課題がある。  
この発明は上記事情によりなされたもので、その目的は、シーン検索機能の使い勝手を良くした映像記録再生装置を提供することにある。
【課題を解決するための手段】
【０００５】
上記目的を達成するためにこの発明の一態様によれば、映像データに含まれる画像フレームを個別に指定するためのシーンマークを、前記映像データと組み合わせて記録可能な映像記録再生装置において、前記シーンマークを構成するディジタルデータを管理するシーンマーク管理手段と、このシーンマーク管理手段により管理されるシーンマークを指定するための指定手段と、前記映像データを、前記指定手段において指定されたシーンマークに対応する画像フレームから再生する再生制御手段とを具備し、前記シーンマーク管理手段は、前記ディジタルデータを、複数のシーンマークをグループ化するための識別子として使用される第１インデックスと、前記グループ内でのシーンマークを区別するための識別子として使用される第２インデックスとの組み合わせで構成し、前記指定手段は、前記第１インデックスと前記第２インデックスとを個別に指定するためのユーザインタフェースを備えることを特徴とする映像記録再生装置が提供される。
【０００６】
このような手段を講じることにより、シーンマークはグループ化され、グループ内では同じ値の第１インデックスと、グループ内で別の値をもち画像フレームを指定するための第２インデックスとの組み合わせで表現される。このような管理のもとでは第１インデックスと第２インデックスとを別々に指定すれば、グループごとのサーチ処理が可能になる。よって、用途に応じたグループを選択して、必要なシーンマークを参照することのみで映像サーチを行うことができるようになり、使い勝手を向上させることができる。
【発明の効果】
【０００７】
この発明によれば、シーン検索機能の使い勝手を良くした映像記録再生装置を提供することができる。
【発明を実施するための最良の形態】
【０００８】
図１は、この発明に関わる映像記録再生装置の一例を示す概観図である。この装置は、本体１００と、この本体１００に接続して使用されるカメラ１とを備える。カメラ１は撮影した映像および音声を本体１００に伝達する。さらに本体１００の例えば前面パネルには、操作部３、表示部４、操作ボタン５、および挿入口８が形成される。
【０００９】
操作部３は、再生の開始停止や再生速度の調節、あるいはシーンマーク付けなどを行うためのユーザインタフェースである。表示部４は例えばＬＣＤ（Liquid Crystal Display）などの小型モニタであり、撮影および再生される映像、あるいは操作メニューなどを表示する。操作ボタン５はメニューに対応してなされた操作などを本体１００に伝えるために用いられる。挿入口８には、映像音声を記録するための着脱可能な半導体記録媒体（メモリパック）６が必要に応じてセットされる。このほか本体１００には内部メモリなどの半導体記録媒体（内蔵メモリ）７が内蔵される。
【００１０】
図２は、図１の映像記録再生装置の要部を示す機能ブロック図である。この装置は図１の操作部３、表示部４、操作ボタン５に加え、制御部２１、表示制御部２２、外部出力インタフェース部２３、映像再生部２４、メディアコントローラ２５、内蔵メモリコントローラ２６、ネットワークインタフェース部２７、入力インタフェース部２８、および、映像管理部２９を備える。このうち制御部２１は映像記録再生装置の機能を統括的に制御する。
【００１１】
この映像記録再生装置は、映像データとシーンマークとを組み合わせて記録する機能を備える。シーンマークとは任意に選択した画像フレームに付けられる印（インデックス）である。映像の収録中や再生中にシーンマークを付けておけばそのフレームにジャンプできるので、後の映像編集作業や映像頭出し操作が簡単になる。マーク付けは例えば所望の画像フレームが表示されたタイミングで操作部３のボタンを押すことにより、そのフレーム番号が記録されることで実現される。シーンマークデータは例えば映像ファイルとリンク付けされた別ファイルにとして記録媒体中に保存される。
【００１２】
図２において、表示制御部２２は表示部４を制御する。外部出力インタフェース部２３は、再生映像を表示する外部モニタを接続するためのインタフェースである。映像再生部２４は、再生映像を表示部４に表示するための処理を行う。メディアコントロール部２５はメモリパック６に読み出しや書き込みなどの処理を行う。内蔵メモリコントローラ２６は、ＲＡＭ（Random Access Memory）などの内蔵メモリ７に読み出しや書き込み処理を行う、
ネットワークインタフェース部２７は、外部のネットワークと接続して、ネットワーク経由で映像／音声データを授受するためのインタフェースである。入力インタフェース部２８にはカメラ１などの映像入力機器が接続される。映像管理部２９は、この映像記録再生装置の取り扱う映像素材を管理する。
【００１３】
ところで制御部２１は、この実施形態に係わる処理機能としてシーンマーク管理部２１ａと、再生制御部２１ｂとを備える。シーンマーク管理部２１ａは、シーンマークを構成するディジタルデータを例えばＸＭＬ（eXtended Markup Language）形式のデータで管理する。再生制御部２１ｂは、操作部３により指定されたシーンマークを付加された画像フレームをサーチし、その画像フレームから映像を再生する。以下に、この実施形態におけるシーンマークの管理の具体例につき説明する。
【００１４】
まず、既存のシーンマークの管理の手法を簡単に説明する。表１にシーンマークを構成する既存のデータファイルの一例を示す。  
【表１】
2010074617.tif 000003
【００１５】
表１の<SceneMark number="5">タグにおいて「SceneMark」が、シーンマークデータの始まりを示し、「number」がシーンマークの数を示す。表１には例として５つのシーンマークが示される。<SceneMarkFrame id="01">36</SceneMarkFrame>は、シーンマークが設定された映像フレームＩＤ（Identification）を示す。この例では、映像データにおける３６フレーム目の映像にシーンマークが設定されていることが示される。以下同様に、１５４フレーム目、４７０フレーム目、６３２フレーム目、８００フレーム目にシーンマークが設定される。
【００１６】
図３は、表１のデータが映像記録再生装置の制御部２１のＣＰＵ（（Central Processing Unit）：図示せず）により読み出され、内蔵メモリ７に展開された状態を示す模式図である。このようにシーンマークデータファイルを展開するとテーブル形式のデータが得られる。映像記録再生装置はこのデータに基づいて、シーンマークされた映像のフレーム数が３６フレーム目、１５４フレーム目、４７０フレーム目、６３２フレーム目、８００フレーム目であること、および、シーンマークの数の合計が５であることを認識できる。操作部３を介していずれかのシーンがユーザにより指定されると、映像記録再生装置は指定されたシーンマークをサーチして映像の頭出しを行う。次に、この発明に関わるシーンマークの管理の手法につき説明する。
【００１７】
（第１の実施形態）
表２に、シーンマークデータファイルの第１の実施形態を示す。  
【表２】
2010074617.tif 000004
【００１８】
表２において、シーンマークはグループＡ、グループＢ、グループＣの３つのグループに分類される。SceneMark_A、SceneMark_B、SceneMark_C 部がそれぞれのシーンマークグループを区別する識別子であり、シーンマークデータの第１インデックスとする。このタグで囲われたグループごとのデータ構成は表１と同様であり、グループ内におけるシーンマーク位置を示すタグをシーンマークデータの第２インデックスとする。すなわちこの実施形態では、シーンマークデータファイルを、複数のシーンマークをグループ化するための識別子として使用される第１インデックスと、グループ内でのシーンマークを区別するための識別子として使用される第２インデックスとの組み合わせで構成する。特に、第１インデックスを指定することでグループが選択される。
【００１９】
図４は、表２のデータが映像記録再生装置の内蔵メモリ７に展開された状態を示す模式図である。シーンマークのグループＡ，Ｂ，Ｃごとにシーンマーク番号とそのフレームＩＤとが対応する。グループＡ，Ｂ，Ｃごとにそれぞれ５個，２個，１個のシーンマークが属する。
【００２０】
このように設定されたシーンマークを選択するには、ユーザはまずシーンマークグループを指定し、その中でのシーンマークを個別に指定する、といった操作を行う。すなわち第１インデックスを指定することでグループを指定し、これを固定的に選択した状態で第２インデックスを指定する、といった操作が行われる。この２段階の指定操作により個々のシーンマークが特定され、再生制御部２１ｂは、指定されたシーンマークから頭出し再生を行う。これにより同じグループ内でジャンプ再生を行うことができる。
【００２１】
再生の途中で新たなシーンマークグループを作成することもできる。例えばグループＡのシーンマークを再生している状態でシーンマークを設定すると、同じグループＡのシーンマークとして登録される。シーンマークを設定するには、映像収録時の画面、あるいは再生時の画面を確認しつつ所望の画面で操作部３のボタンを操作すれば、その時に表示されていた映像のフレーム数情報が記録される。再生時は、早送りやスロー、コマ送りなどを使用することにより正確な位置の映像を探すことができる。
【００２２】
このようにグループを決めてシーンマークを設定することにより、他のユーザが他のシーンマークグループについて作成したシーンマークに影響を与えることなく、新たにシーンマークを設定できる。すなわちユーザ間で混同されることのないシーンマーク付けを行うことが可能になる。
【００２３】
シーンマークをグループ化することで、次のような操作も実現できる。例えば、ユーザは参照したいシーンマークグループを選択した状態で左右矢印ボタンを押すことにより、次のシーンマーク、あるいは前のシーンマークからのジャンプ再生を行うことができる。ジャンプ途中の画像フレームにシーンマークが付されていても、別のグループのシーンマークであればその映像にはジャンプしない。このシーンマークグループはユーザ自身が作成したグループでも良いし、他者が作成したグループでも良い。
【００２４】
例えば、ユーザが図４のグループＡを選択したとすると、５つのシーンマークから映像のフレーム数を得られ、その部分の映像を再生することができる。このように、他者により他グループについて作成されたシーンマークが付与されていても、ユーザ自身が作成したシーンマークのみでシーン検索を行うことが可能になり、従って利便性が向上する。
【００２５】
以上のように第１の実施形態では、シーンマークの設定時にグループを指定し、シーンマーク管理部２１ａによりシーンマークをグループ化した形態で記述する。再生時においてはシーンマークデータ内のグループを参照することで、他のシーンマークグループの情報に影響を与えずに、シーンマークを設定することができる。
【００２６】
またグループを選択指定することで、グループ内でのシーンマーク間をジャンプすることもできる。すなわち操作部３を介して任意のグループが指定されると、再生制御部２１ｂはシーンマークデータを参照して、指定されたグループ内だけで画像をサーチし、これにより、マークされたシーンの頭出し再生が可能になる。さらには、操作部３で複数のシーンマークグループを選択することで、複数のシーンマークグループ内のシーンマークをサーチすることも可能になる。
【００２７】
（第２の実施形態）
次に、２つのシーンマークグループを１つのグループにマージする処理につき説明する。例えば、表２のグループＢの情報をグループＡに結合することが可能である。そうすると表３に示すように、旧グループＢに含まれていた情報は失われること無くグループＡの中にとりこまれ、シーンマークグループはＡとＣの２つのグループになる。  
【表３】
2010074617.tif 000005
【００２８】
すなわち、結合すべきグループを操作部３を介して指定されると、シーンマーク管理部２１ａは、これらのグループ間のシーンマークを第１インデックスを同じ識別子に書き換える。表３の例では、SceneMark_Bが全てSceneMark_Aに書き換えられた状態が示される。
【００２９】
このようにシーンマーク管理部２１ａは、複数のシーンマークグループを結合して一つのシーンマークグループとする。これにより、確定したシーンマークを一つのグループとして扱うことが可能になる。
【００３０】
（第３の実施形態）
次に、シーンマークを削除する処理につき説明する。シーンマークをグループ化することにより、シーンマークをグループ単位で削除することが可能になる。例えば表２のように３つのグループがあるとき、グループＢを選択して削除操作を行うことによりグループＢの情報が一括して削除される。表５に、グループＢを削除した状態のシーンマークデータファイルを示す。  
【表４】
2010074617.tif 000006
【００３１】
削除すべきグループが操作部３を介して指定されると、シーンマーク管理部２１ａは指定されたグループの第１インデックスを持つシーンマークデータを一括して削除する。このようにすることでグループ単位でのシーンマークの削除が可能になる。
【００３２】
既存の技術では表１に示すように、シーンマークを削除するには全ての情報を一括して削除するか、シーンマークを一つずつ選択して削除するかのいずれかの方法しか無かった。これに対しこの実施形態では、シーンマークグループを選択して削除操作を行うことでグループ単位での削除が可能となる。  
このように、シーンマークグループ単位でシーンマークデータを削除することができるので、不要なグループのみ削除するなど、シーンマークを所望のグループ単位で消去することが可能になる。
【００３３】
（第４の実施形態）
次に、シーンマークに優先度を設ける処理につき説明する。例えばグループＣの優先度を高く設定したいケースでは、シーンマーク管理部２１ａは、表５に示すように優先度１を示す情報である<Priority = 1>といった情報をグループＣに追記する。  
【表５】
2010074617.tif 000007
【００３４】
つまりグループを区別するための識別子である第１インデックスに優先度を定義し、再生制御部２１ｂはこの優先度に従って頭出し再生を行う。このようにすることで、グループＣに属するシーンマークを他と比べて高い優先度に設定することができる。再生制御部２１ｂはグループＣ内のシーンマークを最優先で取り扱い、他者が無作為に操作しても、グループＣのシーンマークである１５フレーム目の映像が最初に頭出し再生される。これにより間違った映像を再生してしまうといったミスを防ぐことが可能になる。さらに、手動でシーンマークグループの選択操作を行わなくても、自動的に最優先のシーンマークグループ内のシーンマークを対象に、映像の頭出し再生を行うことが可能になる。  
以上のようにこの実施形態では、複数のシーンマークグループ間に優先度を設定し、シーンマークグループを未選択の状態であっても、特定の（例えば最優先の）シーンマークグループへの処理を行うことが可能になる。また、シーンマーク検索時にシーンマークグループの優先度順に、各グループ内のシーンマーク部の映像頭出しを行うこともできる。従って優先度順の映像頭出しが可能になる。
【００３５】
なお、グループ間の優先度は操作部３を介して任意に変更することが可能である。指定されたグループおよび優先度に従って、シーンマーク管理部２１ａは<Priority>タグの数値および追記箇所を変更する。このようにすることで、グループ間の優先度は自在に変更することができる。
【００３６】
（第５の実施形態）
この実施形態では、シーンマークグループの構成を階層化構造とする例につき説明する。図５は、親グループＡの中に子グループＢが属することを示す模式図である。これは、例えばグループＡのシーンマーク群の中に、グループＢのシーンマーク群を記述することで表現できる。
【００３７】
すなわちシーンマーク管理部２１ａは、操作部３を介して第１インデックスの階層関係を指定されると、シーンマークデータの第１インデックスを階層化し、上位階層のグループ識別子のタグ間に下位階層のグループ識別子を埋め込むように、シーンマークデータを構成する。これにより映像記録再生装置はシーンマークグループ間の階層構造を認識することが可能になる。グループ間の階層構造は、例えば親グループを複数のユーザに割り当て、子グループを各ユーザがシーンマークの目的毎に分けて利用する、といった利用形態が考えられる。このようにすれば複数ユーザ間での同時利用の利便性を向上させることができる。
【００３８】
以上述べたように上記各実施形態では、シーンマーク管理部２１ａにより、シーンマークを複数のグループにグループ化して管理するようにしている。すなわち操作部３を介してシーンマークのグループ化を指示されると、シーンマーク管理部２１ａは、シーンマークの位置を管理するためのシーンマークデータを、グループを区別するための識別子である第１インデックスと、シーンマークの位置を特定するための識別子である第２インデックスとに分けて構成する。
【００３９】
シーンマークをグループ化して保存すると共にグループ毎に設定可能な構成とすることにより、用途に応じたグループを選択して、必要なシーンマークのみの参照で映像検索ができるため、使い勝手が向上する。すなわち、一つのグループ内のシーンマークデータ内に子グループを記述することで、使用形態に応じたシーンマークを構成することが可能になる。これらのことから、シーン検索機能の使い勝手を良くした映像記録再生装置を提供することが可能となる。
【００４０】
なお、この発明は上記実施の形態に限定されるものではない。例えばシーンマークデータはＸＭＬ形式に限られず、テキスト形式、あるいはＨＴＭＬ（HyperText Markup Language）形式であっても良い。またこの発明は、実施段階ではその要旨を逸脱しない範囲で構成インデックスを変形して具体化できる。また、上記実施形態に開示されている複数の構成インデックスの適宜な組み合わせにより、種々の発明を形成できる。例えば、実施形態に示される全構成インデックスから幾つかの構成インデックスを削除してもよい。
【図面の簡単な説明】
【００４１】
【図１】この発明に関わる映像記録再生装置の一例を示す概観図。
【図２】図１の映像記録再生装置の要部を示す機能ブロック図。
【図３】表１のデータが映像記録再生装置の内蔵メモリ７に展開された状態を示す模式図。
【図４】表２のデータが映像記録再生装置の内蔵メモリ７に展開された状態を示す模式図。
【図５】親グループＡの中に子グループＢが属することを示す模式図。
【符号の説明】
【００４２】
１…カメラ、３…操作部、４…表示部、５…操作ボタン、６…メモリパック、７…内蔵メモリ、８…挿入口、１００…本体、２１…制御部、２１ａ…シーンマーク管理部、２１ｂ…再生制御部、２２…表示制御部、２３…外部出力インタフェース部、２４…映像再生部、２５…メディアコントローラ、２６…内蔵メモリコントローラ、２７…ネットワークインタフェース部、２８…入力インタフェース部、２９…映像管理部
【図１】
2010074617.tif 000008
【図２】
2010074617.tif 000009
【図３】
2010074617.tif 000010
【図４】
2010074617.tif 000011
【図５】
2010074617.tif 000012